(57)【要約】      （修正有）【課題】親子ドアや両開きドアの利便性と防犯性を兼ね備えたドアセットを提供する。【解決手段】戸枠２と、戸枠２の開口２ｈに設けられた、玄関用機器が取り付けられるパネル４と、パネル４と戸枠２との間に揺動可能に設けられたドア３と、パネル４に連結された、ドア３の戸当たりを有する中間枠５と、を備え、パネル４は、戸枠２に対してパネル４を揺動可能に連結する連結機構と、戸枠２に対するパネル４の揺動を固定解放する固定部材と、有しており、固定部材が、中間枠５に対して反ドア側に設けられている。固定部材によってパネル４を戸枠２に固定しておけば、通常のドアパネル付きの玄関として使用できる。一方、ドア３だけでなくパネル４も開閉可能に設けられているので、パネル４を開けば、玄関の開口を広くすることができる。【選択図】図１
2019120004.tif 000002
【特許請求の範囲】
【請求項１】
戸枠と、
該戸枠の開口に設けられた、玄関用機器が取り付けられるパネルと、
該パネルと前記戸枠との間に揺動可能に設けられたドアと、
前記パネルに連結された、前記ドアの戸当たりを有する中間枠と、を備え、
前記パネルは、
前記戸枠に対して該パネルを揺動可能に連結する連結機構と、
前記戸枠に対する該パネルの揺動を固定解放する固定部材と、有しており、
該固定部材が、
前記中間枠に対して反ドア側に設けられている
ことを特徴とするドアセット。
【請求項２】
前記固定部材は、
前記中間枠に設けられている
ことを特徴とする請求項１記載のドアセット。
【請求項３】
前記固定部材が、
一端が前記戸枠に着脱可能に連結され、他端が前記中間枠に連結される軸部材を備えており、
前記中間枠には、
その表面に開口を有し、前記固定部材が収容される固定部材収容部が設けられている
ことを特徴とする請求項１または２記載のドアセット。
【請求項４】
前記中間枠が、
前記パネルに着脱可能に設けられている
ことを特徴とする請求項１、２または３記載のドアセット。
【請求項５】
既設のドアパネル付きドアセットと交換する交換用ドアセットである
ことを特徴とする請求項１、２、３または４記載のドアセット。
【発明の詳細な説明】
【技術分野】
【０００１】
本発明は、ドアセットに関する。さらに詳しくは、インターホンや照明器具、新聞受け等が設けられるパネルを備えたドアセットに関する。
【背景技術】
【０００２】
従来、戸建住戸やマンション等の集合住宅などの住戸では、インターホンや照明器具、新聞受け等はドアの近傍の玄関壁に埋め込むようにして設けられていた。しかし、インターホン等を玄関壁に埋め込んで設置した場合、インターホン等を取付けるための取付作業やメンテナンスなどが大変である。
【０００３】
一方、ドアセットとして、ドアの側方にインターホン等を設置する領域（以下パネル部という）や明り取りのためのガラス窓などを設けたものが使用される場合がある。かかるドアセットでは、パネル部に予めインターホン等が設けられているので、ドアセットを設置すればインターホン等を設置できる。
【０００４】
しかし、このようなパネル部を設けたドアセットの場合、玄関壁に設けられる開口は大きいものの、実質的に室内と室外を連通する開口、つまり、ドアを開けた時に形成される開口はドアの大きさ程度に限定される。つまり、玄関壁に設けられる開口に比べて、人や物品の出入りに使用できる開口が小さくなるので、大きな物品などの搬入等が行いにくい。
【０００５】
玄関壁に設けられる開口の大きさを有効に活用することができるドアとして、親子ドア（例えば、特許文献１、２参照）や両開きドアがある。親子ドアや両開きドア（以下親子ドア等という場合がある）は、戸枠に観音開きになるように設けられた一対のドアを備えている。親子ドア等の場合、通常、一方のドア（親子ドアでは小さいドア（子ドア））は戸枠に固定して開閉しないようにしておき、他方のドア（親子ドアでは大きい方のドア（親ドア））のみを開閉するようにしている。そして、大きな物品などを搬入等する場合には、一方のドア（子ドア）を解錠して開くことによってドアの開口を大きくするようになっている。
【先行技術文献】
【特許文献】
【０００６】
【特許文献１】特開２０１５−８６６６７号公報
【特許文献２】特開２０１７−１０１４３０号公報
【発明の概要】
【発明が解決しようとする課題】
【０００７】
しかるに、特許文献１、２の親子ドアの場合、子ドアはフランス落としによって戸枠に固定されているが、フランス落としの操作部は子ドアの端面に設けられている。このため、親ドアを開いた際に、フランス落としの操作部が外部からも見えるようになっており、見栄えがわるいという問題がある。
【０００８】
しかも、親子ドアの場合、子ドアの端面に錠受金具を設けてこの錠受金具にデッドボルトを挿入して、親ドアを施錠することになる。つまり、親子ドアを移動させようとする力を子ドアが支えることになる。このため、通常のドアのように戸枠に錠受金具を設けた場合に比べて親ドアの移動をしっかりと固定できないので、通常のドアに比べて防犯性が低下する可能性がある。
【０００９】
上述したような問題は、親子ドアと同様に観音開きのドアを有する両開きドアでも存在する。
【００１０】
本発明は上記事情に鑑み、親子ドアや両開きドアの利便性と防犯性を兼ね備えたドアセットを提供することを目的とする。
【課題を解決するための手段】
【００１１】
第１発明のドアセットは、戸枠と、該戸枠の開口に設けられた、玄関用機器が取り付けられるパネルと、該パネルと前記戸枠との間に揺動可能に設けられたドアと、前記パネルに連結された、前記ドアの戸当たりを有する中間枠と、を備え、前記パネルは、前記戸枠に対して該パネルを揺動可能に連結する連結機構と、前記戸枠に対する該パネルの揺動を固定解放する固定部材と、有しており、該固定部材が、前記中間枠に対して反ドア側に設けられていることを特徴とする。
第２発明のドアセットは、第１発明において、前記固定部材は、前記中間枠に設けられていることを特徴とする。
第３発明のドアセットは、第１または第２発明において、前記固定部材が、一端が前記戸枠に着脱可能に連結され、他端が前記中間枠に連結される軸部材を備えており、前記中間枠には、その表面に開口を有し、前記固定部材が収容される固定部材収容部が設けられていることを特徴とする。
第４発明のドアセットは、第１、第２または第３発明において、前記中間枠が、前記パネルに着脱可能に設けられていることを特徴とする。
第５発明のドアセットは、第１、第２、第３または第４発明において、既設のドアパネル付きドアセットと交換する交換用ドアセットであることを特徴とする。
【発明の効果】
【００１２】
第１によれば、パネルが開閉可能に設けられているので、パネルを開けば、玄関の開口を広くすることができる。また、固定部材によってパネルを固定しておけば、通常のドアパネル付きの玄関として使用できる。しかも、中間枠によってドアの強度も確保できるので、ドアやパネルのがたつきなども解消される。そして、固定部材を中間枠に対して反ドア側に設けているので、見栄えを良くできるし、防犯性能も高くできる。
第２発明によれば、中間枠は枠と同等程度の強度構造を有しているので、パネルに固定部材を設ける場合に比べてパネルを安定して戸枠に固定できる。また、使用する固定部材の自由度を高くすることができる。
第３発明によれば、戸枠と中間枠の固定を軸部材で行うので、パネルの固定解放が容易になる。しかも、固定部材収容部内に固定部材が収容されているので、見栄えと防犯性を高めることができる。
第４発明によれば、中間枠を取り外せば、パネルを開いたときに中間枠が邪魔にならないし、パネルの移動を楽に行うことができる。また、施工現場でパネルと中間枠を連結して組み立てることが可能になるので、パネルの搬送や設置作業も楽になる。
第５発明によれば、パネル部分を親子ドアの子ドアと同等の構造とし、ドアパネルにガラス部分が設けられている既設ドアセットと交換すれば、防犯性能や断熱性能を高くすることができる。
【図面の簡単な説明】
【００１３】
【図１】本実施形態のドア１の概略説明図であり、（Ａ）は正面図であり、（Ｂ）は背面図である。
【図２】図１のＩＩ−ＩＩ線断面矢視図である。
【図３】図１のIII−III線断面矢視図である。
【図４】（Ａ）はフランス落とし１０の軸部材１１が戸枠２の下枠２ｃの孔２ｇから離脱している状態の説明図であり、（Ｂ）はフランス落とし１０の軸部材１１が戸枠２の下枠２ｃの孔２ｇに挿入されている状態の説明図である。
【図５】固定部材としてボルトＢを使用した場合の概略説明図である。
【図６】他の固定部材２０の概略説明図である。
【発明を実施するための形態】
【００１４】
つぎに、本発明の実施形態を図面に基づき説明する。
本発明のドアセットは、居住用建物の玄関等に使用されるドアセットであって、親子ドアのように開口の大きさを調整でき、しかも、防犯性を高くすることができるようにしたことに特徴を有している。
【００１５】
なお、本発明のドアセットは、新設のマンション等に最初から設置してもよいし、既設のドアセットに代えて設置するようにしてもよい。つまり、本発明のドアセットは、既設のドアパネル付きドアセット（既設のドアセット）と交換する交換用ドアセットとして使用することもできる。例えば、既設のドアセットが設けられている玄関壁等から既設のドアセットを除去した後、玄関壁等の開口に本発明のドアセットを設置することができる。すると、既設の玄関を、親子ドアの機能、つまり、必要なときに開口を大きくできるという機能を有する玄関に改修することができる。また、既設のドアセットのドアパネル部分に明り取りのためのガラス窓が設けられている場合には、ガラス窓が無い玄関に改修できるので、玄関の防犯性能や断熱性能を高めることができる。
【００１６】
また、本発明のドアセットは、玄関に限られず、居室や部屋の内外または屋内と屋外などのように一の空間とこれに隣接する他の空間とを連通する出入口に設けることができる。例えば、集合住宅の住戸の玄関のほか、複数個の部屋を有する事務所等において、かかる部屋の出入口に取り付けて使用されるドアセットとしても使用することができる。
【００１７】
つぎに、本実施形態のドアセット１を図面に基づき説明する。
図１および図２に示すように、本実施形態のドアセット１は、戸枠２と、戸枠２に取り付けられるドア３およびパネル４と、パネル４に設けられた中間枠５と、パネル４を戸枠２に固定解放する固定部材１０と、を備えている。
【００１８】
（戸枠２の説明）
図１に示すように、戸枠２は、正面視略矩形に形成された部材であり、ドアセット１が設置される玄関壁Ｗの開口に取り付けられる部材である。この戸枠２には、ドア３およびパネル４が取り付けられ、このドア３およびパネル４によって開閉される開口部２ｈを有している。
【００１９】
具体的には、戸枠２は、一対の竪枠２ａ、２ｂと、この一対の竪枠２ａ、２ｂの上端部間を連結するように配設された上枠２ｄと、この一対の竪枠２ａ、２ｂの下端部間を連結するように配設された下枠２ｃと、を備えている。つまり、一対の竪枠２ａ、２ｂと上枠２ｄおよび下枠２ｃで囲まれた空間に開口部２ｈが形成されている。
【００２０】
（ドア３およびパネル４の説明）
図１に示すように、戸枠２の開口部２ｈには、ドア３およびパネル４が開閉可能に取り付けられている。
【００２１】
図１に示すように、ドア３は、正面視略長方形に形成された部材である。このドア３は、戸枠２の竪枠２ａに揺動可能に設けられている。具体的には、ドア３は、一の側端部（つまり戸尻）と戸枠２の竪枠２ａとの間に設けられた連結機構によって水平方向に揺動可能に設けられている。なお、ドア３を揺動させてドア３を閉じた際に、ドア３における戸尻部の内面が竪枠２ａに設けられているパッキンＰに接触するように設けられている（図２参照）。
【００２２】
図１に示すように、パネル４も、ドア３と同様に、正面視略長方形に形成された部材である。このパネル４には、インターホンや照明器具、新聞受け等の玄関用機器が設けられている。このパネル４は、戸枠２の竪枠２ｂに揺動可能に設けられている。具体的には、パネル４は、一の側端部（つまり戸尻）と戸枠２の竪枠２ｂとの間に設けられた連結機構によって水平方向に揺動可能に設けられている。なお、パネル４を揺動させてパネル４を閉じた際に、パネル４における戸尻部の内面が竪枠２ｂに設けられているパッキンＰに接触するように設けられている（図２参照）。
【００２３】
つまり、ドア３とパネル４は、ドア３およびパネル４の両方を開くと戸先同士が離間し、ドア３およびパネル４の両方を閉じると戸先同士が接近しその端面同士が対向するようになっている。つまり、ドア３とパネル４は、いわゆる観音開きの構造となるように戸枠２に対して取り付けられている。
【００２４】
そして、ドア３の戸先には、図示しないが、出没可能に取り付けられたデッドボルトやラッチボルトなどが設けられている。一方、パネル４の戸先には、ドア３のデッドボルトやラッチボルトと対応する位置に錠受金具が設けられている。つまり、ドア３とパネル４を閉じた際に、デッドボルトやラッチボルトと錠受金具が対向するように、錠受金具がパネル４の戸先に設けられている。したがって、ドア３とパネル４を閉じた状態で、デッドボルトやラッチボルトをドア３の戸先から出没させることによって、錠受金具を介して、ドア３とパネル４とを連結解放することができる。
【００２５】
＜中間枠５＞
図１および図２に示すように、パネル４の戸先側の内面には中間枠５が設けられている。この中間枠５は、内部に中空な空間を有する断面略矩形の柱状の部材である。この中間枠５は、その長さがほぼ戸枠２の上枠２ｄと下枠２ｃとの距離と同じ長さになるように形成されている（図１および図３参照）。つまり、パネル４を閉じた状態では、戸枠２における竪枠２ａ，２ｂの間に竪枠が存在するかのように、中間枠５が設けられている。
【００２６】
また、中間枠５は、その一部がパネル４の戸先よりもドア３側に突出するように配設されている。具体的には、図２に示すように、中間枠５の外面の一部がパネル４の戸先よりもドア３側に突出しており、この突出した部分がドア３の戸先の戸当たりとなるように、中間枠５は配設されている。なお、突出した部分には、通常の戸枠に設けられる戸当たりと同等の構造（例えばドア３の戸先と接触するパッキンＰを有する構造等）が設けられていてもよいし、単にゴムなどの緩衝部材が設けられているだけでもよい。
【００２７】
＜フランス落とし１０＞
図３に示すように、中間枠５の上部および下部にはフランス落とし１０が設けられている。このフランス落とし１０は、中間枠５と上枠２ｄまたは中間枠５と下枠２ｃとを固定解放するために設けられている。言い換えれば、フランス落とし１０は、戸枠２に対するパネル４の揺動を固定解放するものである。このフランス落とし１０は特許請求の範囲における固定部材の一例に相当する。
【００２８】
中間枠５の上部および下部に設けられているフランス落とし１０は、レバーｒを操作すれば、軸部材１１を中間枠５の上端または下端から出没させることができるように設けられている（図４参照）。しかも、フランス落とし１０は、中間枠５においてパネル４側に位置する面、言い換えれば、ドア３と反対側（反ドア側）の面（図２では右側の面）に設けられている。そして、上枠２ｄまたは下枠２ｃには、パネル４を閉じた状態において、フランス落とし１０の軸部材１１が出没する位置と対応する位置に、軸部材１１を挿入離脱させることができる孔２ｇが設けられている。
【００２９】
以上のごとき構造を有する本実施形態のドアセット１によれば、フランス落とし１０によってパネル４を戸枠２に固定しておけば、通常のドアパネル付きの玄関として使用できる。一方、ドア３だけでなくパネル４も開閉可能に設けられているので、フランス落とし１０によるパネル４と戸枠２の固定を解除してパネル４を開けば、玄関の開口を広くすることができる。
【００３０】
また、フランス落とし１０は中間枠５に対して反ドア側に設けているので、ドア３を開いてもフランス落とし１０がドア３を開いた開口を通しては視認できないので、パネル４の見栄えを良くできる。
【００３１】
しかも、中間枠５がドア３の戸当たりとして機能するので、ドア３の戸先とパネル４の戸先との間に形成される隙間は室内側から中間枠５によって塞がれる。したがって、パネル４が開閉できる構造としても防犯性能も高くできる。
【００３２】
さらに、中間枠５として上述したような柱状の部材を採用しているので、中間枠５が戸枠２と同等程度の強度を有することになる。すると、中間枠５によってパネル４の強度も高くできるので、ドア３やパネル４のがたつきなども解消される。そして、この中間枠５にフランス落とし１０を設けているので、パネル４にフランス落とし１０を設ける場合に比べて、パネル４を安定して戸枠２に固定できる。
【００３３】
さらに、フランス落とし１０によって軸部材１１を出没させるだけでパネル４と戸枠２の固定解放、つまり、戸枠２と中間枠５との固定解放を実施できるので、パネル４を戸枠２に固定解放する作業が容易になる。
【００３４】
なお、上記例では、フランス落とし１０が設けられている中間枠５内の空間が特許請求の範囲にいう固定部材収容部に相当する。
【００３５】
＜連結機構について＞
なお、ドア３やパネル４を戸枠２と連結する連結機構として、ドア３と戸枠２の竪枠２ｂの間やパネル４と戸枠２の竪枠２ａの間に設けられたヒンジや丁番を使用できる。また、竪枠２ａ，２ｂの長手方向に沿って取り付けた軸を支点としてドア３やパネル４を揺動させることができる軸吊り丁番（いわゆるピポットヒンジ）なども連結機構として採用することができる。
【００３６】
＜他の固定部材について＞
上記例では、固定部材としていわゆるフランス落とし１０を採用した場合を説明したが、固定部材はパネル４と戸枠２とを固定解放できるものであればよく、とくに限定されない。例えば、以下に示すような構造として、ボルト等によってパネル４と戸枠２とを固定解放できるようにしてもよい。
【００３７】
例えば、図５に示すように、中間枠５の側面に開口５ｈを設けて、中間枠５の内底壁５ｂに貫通孔ｈを形成する。そして、パネル４を閉じた状態において、下枠２ｃにおける内底壁５ｂの貫通孔ｈと対向する位置に雌ネジ穴やナットＮなどを設けておく。すると、内底壁５ｂの貫通孔ｈにボルトＢを挿通してボルトＢを下枠２ｃの雌ネジ穴やナットＮ等に螺合すれば、中間枠５と下枠２ｃ、つまり、パネル４と戸枠２とを固定することができる。この場合、中間枠５の開口５ｈを塞ぐカバー部材５ｃを設ければ、ボルトＢなどが見えないようにすることができるので、見栄えの悪化を防ぐことができる。この場合も、中間枠５内の空間が特許請求の範囲にいう固定部材収容部に相当する。
【００３８】
なお、パネル４と戸枠２とを固定する際に、上記のようにボルトＢを下枠２ｃの雌ネジ穴やナットＮに螺合しなくてもよい。フランス落とし１０と同様に、ボルトＢ等の軸状の部材を、単に内底壁５ｂの貫通孔ｈと下枠２ｃの孔２ｇに挿入して、中間枠５と下枠２ｃとが移動しないようにしてもよい。
【００３９】
また、上枠２ｄとパネル４を固定解放する固定部材（上部固定部材）と、下枠２ｃとパネル４を固定解放する固定部材（下部固定部材）と、を両方設ける場合には、両者は同じ機構としてもよいが（図３参照、図３ではいずれもフランス落とし１０）、異なる機構としてもよい。例えば、下部固定部材としてボルトなどにより固定解放する構造を採用し、上部固定部材にフランス落としを採用すれば、下部固定部材によってパネル４と戸枠２とを強固に固定できる一方、上部固定部材によるパネル４と戸枠２との固定解放が容易にできる。
【００４０】
＜固定部材の設置場所について＞
上記例では、フランス落とし１０等の固定部材は、中間枠５においてドア３と反対側に位置する反ドア側の面（図２では右側の面）に設けられている場合を説明した。しかし、固定部材は中間枠５に対して反ドア３側に位置するように設ければよく、その設置位置はとくに限定されない。
【００４１】
上記例（図２、図３参照）では、中間枠５の側面に埋め込まれた状態となるようにフランス落とし１０が設けられているが、中間枠５の側面に固定部材を設けてもよい。つまり、図２において、中間枠５よりも右側の竪枠２ｂ側の空間に露出した状態となるように固定部材を設けてもよい。例えば、中間枠５の右側の竪枠２ｂ側の側面等にブラケット等を設けて、そのブラケット等にフランス落とし等の固定部材を設けてもよい。
【００４２】
また、パネル４と戸枠２を直接連結する部材を固定部材として使用してもよい。つまり、固定部材は中間枠５ではなくパネル４に設けてもよい。例えば、図６に示すように、Ｌ字状の部材２０を固定部材として使用すれば、中間枠５に対して反ドア３側において、固定部材２０よって戸枠２とパネル４とを直接連結することができる。つまり、一方の板状部２１を戸枠２の下枠２ｃに面接触させて、他方の板状部２２をパネル４に面接触させる。そして、ネジｎ等によって板状部２１を戸枠２の下枠２ｃに固定し、他方の板状部２２をパネル４に固定する。すると、パネル４と戸枠２を固定部材２０よって直接連結することができる。
【００４３】
さらに、特許請求の範囲にいう、「固定部材が、前記中間枠に対して反ドア側に設けられている」とは、固定部材が中間枠５に対してドア３と反対側に位置する場所に設けられている場合（図６参照）に限られない。つまり、固定部材の全体または一部が中間枠５に埋め込まれている状態（図２、図３参照）や、固定部材が中間枠５内に配設されているがドア３側と反対側の面から操作や作業が実施される状態（図３、図５参照）も含む概念である。
【００４４】
そして、中間枠５によって固定部材がドア３の側から見えない位置に配置されている場合も、特許請求の範囲にいう「固定部材が、前記中間枠に対して反ドア側に設けられている」に含まれる。例えば、図５に示すように中間枠５に開口５ｈを設けてその開口５ｈを通してボルトＢによって中間枠５と戸枠２を固定する作業を行う場合には、開口５ｈを閉じてしまえば固定部材は中間枠５によってドア３の側から見えない。つまり、図５に示すような固定部材を使用する場合には、中間枠５の室内側の面（図２では下方に位置する面）や中間枠５のドア側の面（図２では左方に位置する面）に開口５ｈを設けた場合も、固定部材はドア３の側から見えない。このような場合も、特許請求の範囲にいう「固定部材が、前記中間枠に対して反ドア側に設けられている」に含まれる。
【００４５】
また、上述したように、固定部材は中間枠５ではなくパネル４に設けてもよいが、中間枠５に設ければパネル４を安定して戸枠２に固定できる。なお、上部固定部材と下部固定部材と、を両方設ける場合には、両方を中間枠５またはパネル４に設けてもよいし、一方を中間枠５に設け他方をパネル４に設けてもよい。
【００４６】
さらに、中間枠５にフランス落とし１０等の固定部材を設けつつ、パネル４と戸枠２を直接連結する固定部材を別途設けてもよい。例えば、図６に示すように、Ｌ字状の部材２０を固定部材として使用することができる。つまり、一方の板状部２１を戸枠２の下枠２ｃに面接触させて、他方の板状部２２をパネル４に面接触させて、ネジｎ等によって板状部２１を戸枠２の下枠２ｃに固定し、他方の板状部２２をパネル４に固定する。すると、パネル４と戸枠２を固定部材２０よって直接連結することができる。
【００４７】
＜中間枠５の他の例＞
中間枠５はパネル４に固定されていてもよいが、パネル４に対して着脱可能に設けられていてもよい。この場合、パネル４を開いたときに中間枠５を取り外せば、物品の搬入等を行う際に、中間枠５が邪魔にならない。また、パネル４を軽くできるので、パネル４の移動を楽に行うことができる。
【００４８】
さらに、施工の際には、施工現場でパネルと中間枠を連結して組み立てることが可能になるので、パネル４の搬送が楽になる。しかも、パネル４を戸枠２に取り付けてから中間枠５を取り付けるようにすれば、パネル４の設置作業も楽になる。
【００４９】
なお、中間枠５をパネル４に着脱可能に固定する方法はとくに限定されない。例えば、ボルトやネジ等によって両者を固定解放できるようにしてもよいし、差し込み式、けんどん式等の方法を用いてもよい。
【産業上の利用可能性】
【００５０】
本発明のドアセットは、戸建住宅やマンションなどの居住用建物の玄関に設置されるドアセットとして適している。
【符号の説明】
【００５１】
１      ドアセット
２      戸枠
３      ドア
４      パネル
５      中間枠
１０      フランス落とし
【図１】
2019120004.tif 000003
【図２】
2019120004.tif 000004
【図３】
2019120004.tif 000005
【図４】
2019120004.tif 000006
【図５】
2019120004.tif 000007
【図６】
2019120004.tif 000008